(57)【要約】【課題】地震などによる外力が作用した場合のガラスパネルの破損を防止でき、しかも、風圧によるガラスパネルの撓み変形を左右辺部において高い信頼性で規制できるようにしながら、外観の制約を受け難いガラスパネル支持構造を提供する。【解決手段】矩形ガラスパネルＰ１の上下辺部の夫々を、躯体側に固定してあるサッシに嵌め込んでパネル面に沿う方向に移動可能に支持してあるガラスパネル支持構造であって、ガラスパネルの左右辺部の夫々に対して非接着状態で固定される固定部材４と、固定部材を躯体側の固定部５にガラスパネルのパネル面に沿う方向に相対移動可能に支持する支持部６とを設けてある。【選択図】図３
2008214869.tif 000002
【特許請求の範囲】
【請求項１】
矩形ガラスパネルの上下辺部の夫々を、躯体側に固定してあるサッシに嵌め込んでパネル面に沿う方向に移動可能に支持してあるガラスパネル支持構造であって、
前記ガラスパネルの左右辺部の夫々に対して非接着状態で固定される固定部材と、
前記固定部材を躯体側の固定部に前記ガラスパネルのパネル面に沿う方向に相対移動可能に支持する支持部とを設けてあるガラスパネル支持構造。
【請求項２】
前記左右辺部のうちの少なくとも一方の辺部に前記固定部材の複数を上下方向に間隔を隔てて固定し、
前記固定部材の夫々を前記固定部に支持する前記支持部を各別に設けてある請求項１記載のガラスパネル支持構造。
【請求項３】
前記固定部材を前記左右辺部の夫々に対して嵌合固定又は挟持固定してある請求項１又は２記載のガラスパネル支持構造。
【発明の詳細な説明】
【技術分野】
【０００１】
本発明は、矩形ガラスパネルの上下辺部の夫々を、躯体側に固定してあるサッシに嵌め込んでパネル面に沿う方向に移動可能に支持してあるガラスパネル支持構造に関する。
【背景技術】
【０００２】
上記ガラスパネル支持構造は、矩形ガラスパネルの上下辺部の夫々を、躯体側に固定してあるサッシに嵌め込んでパネル面に沿う方向に移動可能に支持してあるので、地震などによる外力が作用した場合に、ガラスパネルの上下辺部とサッシとのパネル面に沿う相対変位を許容して、ガラスパネルの破損を防止できる利点がある。
上記ガラスパネル支持構造では、従来、ガラスパネルの上下辺部とサッシとのパネル面に沿う相対変位を許容しながら、風圧によるガラスパネルの撓み変形を左右辺部において規制するために、ガラスパネルの左右辺部の夫々も、躯体側に固定してあるサッシにパネル面に沿う方向に移動可能に嵌め込んである。
つまり、上下のサッシと左右のサッシとから成る矩形サッシ枠を躯体側に固定し、そのサッシ枠にガラスパネルの周辺部を全周に亘って嵌め込んで、ガラスパネルとサッシ枠とのパネル面に沿う相対変位を許容してあると共に、ガラスパネルの撓み変形を規制してある（周知慣用技術であり、先行技術文献情報を開示できない。）。
【発明の開示】
【発明が解決しようとする課題】
【０００３】
このため、ガラスパネルの左右辺部を嵌め込んであるサッシの左右方向幅が、その左右辺部をパネル面に沿う方向に移動可能に嵌め込んである構造上、大きくなって、その外観が目立つこととなり、外観（デザイン）上の制約を受け易い欠点がある。
本発明は上記実情に鑑みてなされたものであって、地震などによる外力が作用した場合のガラスパネルの破損を防止でき、しかも、風圧によるガラスパネルの撓み変形を左右辺部において高い信頼性で規制できるようにしながら、外観上の制約を受け難いガラスパネル支持構造を提供することを目的とする。
【課題を解決するための手段】
【０００４】
本発明の第１特徴構成は、矩形ガラスパネルの上下辺部の夫々を、躯体側に固定してあるサッシに嵌め込んでパネル面に沿う方向に移動可能に支持してあるガラスパネル支持構造であって、前記ガラスパネルの左右辺部の夫々に対して非接着状態で固定される固定部材と、前記固定部材を躯体側の固定部に前記ガラスパネルのパネル面に沿う方向に相対移動可能に支持する支持部とを設けてある点にある。
【０００５】
〔作用及び効果〕
ガラスパネルの左右辺部の夫々に対して固定される固定部材と、その固定部材を躯体側の固定部に支持する支持部とを設けてあるので、風圧によるガラスパネルの撓み変形を左右辺部において規制できる。
また、その支持部によって、固定部材を躯体側の固定部にガラスパネルのパネル面に沿う方向に相対移動可能に支持するので、地震などによる外力が作用した場合には、固定部材の固定部に対するガラスパネルのパネル面に沿う方向の相対移動で、ガラスパネルの上下辺部とサッシとのパネル面に沿う相対変位を許容して、ガラスパネルの破損を防止できるとともに、支持部近くのガラスパネルに局所的に発生する応力を緩和できる。
しかも、固定部材が左右辺部の夫々に対して接着剤で接着固定されている場合には、接着時の作業環境や接着作業に対する熟練度などの作業条件によって接着力にばらつきが生じ易く、左右辺部に対する固定強度の信頼性が低下し易い欠点があるが、固定部材がガラスパネルの左右辺部の夫々に対して非接着状態で固定されているので、作業条件に左右されずに、高い信頼性で固定部材を左右辺部に対して所定の固定強度で固定し易い。
従って、ガラスパネルの左右辺部を嵌め込む幅広のサッシを設けることなく、地震などによる外力が作用した場合のガラスパネルの破損を防止でき、しかも、風圧によるガラスパネルの撓み変形を左右辺部において高い信頼性で規制できるとともに、外観上の制約を受け難いガラスパネル支持構造を提供できる。
【０００６】
本発明の第２特徴構成は、前記左右辺部のうちの少なくとも一方の辺部に前記固定部材の複数を上下方向に間隔を隔てて固定し、前記固定部材の夫々を前記固定部に支持する前記支持部を各別に設けてある点にある。
【０００７】
〔作用及び効果〕
左右辺部のうちの少なくとも一方の辺部に固定部材の複数を上下方向に間隔を隔てて固定してあるので、風圧によるガラスパネルの撓み変形を効果的に規制できる。
しかも、固定部材の夫々を固定部に支持する支持部を各別に設けてあるので、地震などによる外力が作用した場合に、各固定部材を、その固定部材を固定してあるガラスパネル部分の変位に応じて、ガラスパネルのパネル面に沿う方向に各別に相対移動可能に支持して、ガラスパネルの破損を防止できる。
【０００８】
本発明の第３特徴構成は、前記固定部材を前記左右辺部の夫々に対して嵌合固定又は挟持固定してある点にある。
【０００９】
〔作用及び効果〕
固定部材を左右辺部の夫々に対して嵌合固定又は挟持固定してあるので、左右辺部にボルト孔を形成して、そのボルト孔に挿通したボルトで固定部材を左右辺部に非接着状態で固定してある場合に比べて、固定部材を左右辺部の夫々に対して非接着状態で簡便に固定しておくことができる。
【発明を実施するための最良の形態】
【００１０】
以下に本発明の実施の形態を図面に基づいて説明する。
〔第１実施形態〕
図１は、複数階層を構成している複数の床スラブＡと各床スラブＡを支持する鋼製梁部材Ｂとを設けてある建物における外壁Ｃを示し、この外壁Ｃは矩形ガラスパネルの一例としての矩形複層ガラスＰ１，Ｐ２の複数を上下左右に並設して構成してある。
【００１１】
前記外壁Ｃにおける各複層ガラスＰ１，Ｐ２の支持構造を説明する。
躯体側の構造物である床スラブＡと、その床スラブＡを支持している梁部材Ｂとの組み合わせ毎に、床スラブＡと梁部材Ｂとに亘って、鉛直方向に沿う縦フレーム１の複数を水平方向に略一定間隔を隔てて固定してあり、各縦フレーム１の上端部と下端部との夫々に亘って水平方向に沿う横サッシ２を固定し、各縦フレーム１の夫々には鉛直方向に沿う縦サッシ３を固定してある。
【００１２】
そして、第１複層ガラスＰ１の複数を、その上下辺部の夫々を上層階側の横サッシ２と下層階側の横サッシ２とに嵌め込んでパネル面に沿う方向に移動可能に支持し、第２複層ガラスＰ２の複数を、横サッシ２と縦サッシ３とにパネル面に沿う方向に移動可能に嵌め込んである。
【００１３】
前記第１複層ガラスＰ１は、二枚の板ガラスＧをその周部にスペーサＳを挟んで対向させて、両板ガラスＧ間に空隙Ｖを形成し、その空隙Ｖの周部をシール材Ｔで封止して構成してある。
【００１４】
前記第１複層ガラスＰ１の夫々は、本発明によるガラスパネル支持構造によって支持してあり、図２，図３に示すように、一枚の第１複層ガラスＰ１毎に、その左右辺部の夫々の上下方向で中間の略中央位置に対して非接着状態で固定される固定部材４と、その固定部材４を第１複層ガラスＰ１のパネル面に沿う方向に相対移動可能に支持する支持部６とを設けてある。
【００１５】
前記支持部６は、梁部材Ｂ側に下向きにボルト固定してある躯体側の固定部であるアーム部材５にボルト固定してある。
【００１６】
前記固定部材４は、図２，図３に示すように、第１複層ガラスＰ１の左右辺部を入り込ませる固定用凹溝７を形成してある第１チャンネル部８と、支持部６を上下移動可能に入り込ませる支持用凹溝９を形成してある第２チャンネル部１０とを一体に備えたアルミ押し出し成型品で構成してあり、第１チャンネル部８は、第１複層ガラスＰ１を挟んでいる板部分８ａの外周形状を半円弧状に形成してある。
【００１７】
そして、第１複層ガラスＰ１の左右辺部を、横断面形状がコの字形のエチレン−プロピレン−ジエンゴム（EPDM）製シール材（成型品）１１を挟んで固定用凹溝７に嵌合して、固定部材４に非接着状態で一体に固定してある。
【００１８】
尚、ＥＰＤＭ製シール材１１に代えて、第１複層ガラスＰ１のガラス面を傷付けない材料からなるシール材１１、例えば、樹脂製シール材１１やアルミニウム合金などの軟質金属製シール材１１を挟んで、第１複層ガラスＰ１の左右辺部を固定用凹溝７に嵌合してあっても良い。
【００１９】
前記支持部６は、固定基板１２にボス部材１３を一体に設けてある荷重受け部１４に、第２チャンネル部１０に対する取り付け用のナット１５を螺合してある雄ねじ部材１６を固定してあるとともに、その雄ねじ部材１６の先端に支持用凹溝９に嵌め込む円板状の嵌合部材１７を備えた支持金具で構成してあり、嵌合部材１７とナット１５の夫々には、フッ素系樹脂などからなるシート状の滑り材１９を貼り付けてある。
【００２０】
そして、第１複層ガラスＰ１の左右辺部の夫々に固定部材４を嵌合固定して、スペーサ１８を挟んで互いに隣り合わせた状態で、その上下辺部の夫々を上層階側の横サッシ２と下層階側の横サッシ２とに嵌め込むと共に、支持金具６の嵌合部材１７を隣り合う固定部材４の両支持用凹溝９に亘って入り込ませてある。
【００２１】
尚、２０は、第１チャンネル部８どうしの隙間、及び、第１複層ガラスＰ１の左右辺部どうしの隙間を建物外側から埋めているシール材であり、２１は、第１チャンネル部８どうしの隙間を建物内側から埋めている定型シール材である。
【００２２】
前記支持金具６は、固定基板１２をアーム部材５にボルト固定するとともに、ナット１５を第２チャンネル部１０側に締め付けることにより両固定部材４に固定した状態で、各第２チャンネル部１０と雄ねじ部材１６の外周面との間に環状の軟質シール材２２を装着して、嵌合部材１７とナット１５の夫々に貼り付けてある滑り材１９と、その滑り材１９に挟まれた第２チャンネル部１０との相対的な滑りを許容することにより、固定部材４を躯体側の固定部であるアーム部材５に対して回転軸部材としての雄ねじ部材１６周りで第１複層ガラスＰ１のパネル面に沿う方向に相対回転移動可能、かつ、軟質シール材２２の弾性変形で雄ねじ部材（回転軸部材）１６の径方向に相対移動可能に支持してある。
【００２３】
〔第２実施形態〕
図４〜図６は、本発明によるガラスパネル支持構造の別実施形態を示し、図４に示すように、一枚の第１複層ガラスＰ１毎に、その左右辺部の夫々に対して左右辺部に沿って非接着状態で一連に固定される長尺の固定部材４と、その固定部材４の夫々の上下方向で中間の略中央位置を第１複層ガラスＰ１のパネル面に沿う方向に相対移動可能に支持する支持部６とを設けてある。
【００２４】
前記固定部材４は、図５，図６に示すように、第１複層ガラスＰ１の左右辺部をその略全長に亘って一連に入り込ませる固定用凹溝７を形成してある第１チャンネル部８と、支持部６を上下移動可能に入り込ませる支持用凹溝９を形成してある第２チャンネル部１０とを一体に備えたアルミ押し出し成型品で構成してある。
【００２５】
そして、第１複層ガラスＰ１の左右辺部を、横断面形状がコの字形のエチレン−プロピレン−ジエンゴム（EPDM）製シール材（成型品）１１を挟んで固定用凹溝７に嵌合して、固定部材４に非接着状態で一体に固定してあり、図示しないが、固定部材４の上下両端部は上下の横サッシ２に対して接続しない状態で設けてある。
その他の構成は第１実施形態と同様である。
【００２６】
〔第３実施形態〕
図７は、本発明によるガラスパネル支持構造の別実施形態を示し、一枚の第１複層ガラスＰ１毎に、その左右辺部の夫々に対して、上下方向で中間位置に固定部材４の複数（本実施形態では二つ）を上下方向に間隔を隔てて非接着状態で固定してある。
【００２７】
そして、躯体側の固定部であるアーム部材５を梁部材Ｂ側と縦フレーム１側との夫々にボルト固定して、各アーム部材５の先端部にボルト固定した支持金具６で、固定部材４の夫々を第１複層ガラスＰ１のパネル面に沿う方向に相対移動可能に支持してある。
その他の構成は第１実施形態と同様である。
【００２８】
〔その他の実施形態〕
１．本発明によるガラスパネル支持構造は、単板の板ガラスからなるガラスパネルを支持してあるガラスパネル支持構造であっても良い。
２．本発明によるガラスパネル支持構造は、左右辺部の一方にのみ、固定部材の複数を上下方向に間隔を隔てて固定して、それらの固定部材の夫々を固定部に支持する支持部を各別に設けてあっても良い。
３．本発明によるガラスパネル支持構造は、固定部材を躯体側の固定部としての手摺や内壁などに支持する支持部を設けてあっても良い。
４．本発明によるガラスパネル支持構造は、固定部材を左右辺部の夫々に対して非接着状態で挟持固定してあっても良い。
５．本発明によるガラスパネル支持構造は、固定部材を左右辺部の夫々に対して非接着状態でボルト固定してあっても良い。
【図面の簡単な説明】
【００２９】
【図１】建物外壁の外面側を示す正面図（イ）と建物外壁の縦断面図（ロ）
【図２】要部の一部断面側面図（イ）と要部の一部断面正面図（ロ）
【図３】要部の横断面図
【図４】第２実施形態の建物外壁の外面側を示す正面図（イ）と建物外壁の縦断面図（ロ）
【図５】第２実施形態の要部の一部断面側面図（イ）と要部の一部断面正面図（ロ）
【図６】第２実施形態の要部の横断面図
【図７】第３実施形態の建物外壁の外面側を示す正面図（イ）と建物外壁の縦断面図（ロ）
【符号の説明】
【００３０】
Ｐ１  ガラスパネル
２  サッシ
４  固定部材
５  固定部
６  支持部
【図１】
2008214869.tif 000003
【図２】
2008214869.tif 000004
【図３】
2008214869.tif 000005
【図４】
2008214869.tif 000006
【図５】
2008214869.tif 000007
【図６】
2008214869.tif 000008
【図７】
2008214869.tif 000009